(57)【要約】【課題】イオン濃度を所定濃度まで速やかに上昇させることができ、また、所定のイオン濃度を維持しつつ長寿命化を図ることができるイオン発生ユニット及び該イオン発生ユニットを備える照明装置を提供する。【解決手段】制御部３５は、イオン発生素子３１、３２の駆動を開始する場合、照度センサ５０で検出した明るさに応じて、イオン発生素子３１、３２の駆動条件を選択する。例えば、照度センサ５０で検出した明るさが、所定範囲よりも明るい場合には、制御部３５は、イオン発生素子３１、３２を連続駆動させる。また、照度センサ５０で検出した明るさが、所定範囲内にある場合には、制御部３５は、イオン発生素子３１、３２を、デューティ比が５０％の所定の間隔で間欠駆動させる。【選択図】図１３
2010194054.tif 000002
【特許請求の範囲】
【請求項１】
イオンを発生するイオン発生部と、該イオン発生部の駆動を制御する制御部とを備えるイオン発生ユニットにおいて、
前記イオン発生部の駆動制御のための駆動条件を記憶する記憶部と、
周囲の明るさを検出する検出部と
を備え、
前記制御部は、
駆動を開始する場合、前記検出部で検出した明るさに応じて、前記イオン発生部の駆動条件を選択するように構成してあることを特徴とするイオン発生ユニット。
【請求項２】
前記検出部は、自身が検出した明るさに基づいて明るさの変化を検出するようにしてあり、
前記制御部は、
駆動中に前記検出部で検出した明るさの変化に応じて、前記駆動条件を変更するように構成してあることを特徴とする請求項１に記載のイオン発生ユニット。
【請求項３】
前記イオン発生部を複数備え、
前記制御部は、
前記検出部で検出した明るさ又は明るさの変化に応じて、前記複数のイオン発生部を間欠駆動するとともに、前記複数のイオン発生部の駆動を交番させるように構成してあることを特徴とする請求項１又は請求項２に記載のイオン発生ユニット。
【請求項４】
前記イオン発生部を複数備え、
前記制御部は、
前記検出部で検出した明るさ又は明るさの変化に応じて、前記複数のイオン発生部を所定時間連続駆動し、その後間欠駆動するとともに、前記複数のイオン発生部の駆動を交番させるように構成してあることを特徴とする請求項１又は請求項２に記載のイオン発生ユニット。
【請求項５】
前記制御部は、
前記検出部で検出した明るさ又は明るさの変化に応じて、前記複数のイオン発生部の間欠駆動のデューティ比を変更するように構成してあることを特徴とする請求項３又は請求項４に記載のイオン発生ユニット。
【請求項６】
前記イオン発生部で発生したイオンを放出するためのファンと、
該ファンの回転数を検出する回転数検出部と
を備え、
前記制御部は、
前記検出部で検出した明るさ又は明るさの変化及び前記回転数検出部で検出した回転数に応じて、前記複数のイオン発生部の間欠駆動の周期を変更するように構成してあることを特徴とする請求項３又は請求項４に記載のイオン発生ユニット。
【請求項７】
光源と、請求項１から請求項６までのいずれか１項に記載のイオン発生ユニットとを備えることを特徴とする照明装置。
【発明の詳細な説明】
【技術分野】
【０００１】
本発明は、イオンを発生させるイオン発生ユニット及び該イオン発生ユニットを備える照明装置に関する。
【背景技術】
【０００２】
近年、工場、オフィス、住宅等の建物の内部空間の高気密化に伴い、清潔で快適な作業空間又は居住空間を実現すべく、人体に有害な浮遊物を除去して空気を清浄化したいという要望が強くなっている。このような空気の清浄化の技術として、従来、対象となる空間内の空気を吸い込み、フィルタを通過させて空気中の浮遊物をフィルタに捕捉することにより除去する技術が広く用いられていた。
【０００３】
このようなフィルタを用いた装置においては、作業空間又は居住空間の全体に清浄化効果を及ぼすことが困難であり、例えば、室内に配置された家具の裏側、部屋の角部等の空気の澱み易い場所において十分な清浄化効果を期待することができない。また、細菌、ウィルス等の有害な浮遊物に対しては十分な除去効果を得ることができないという問題があった。そこで、近年、空気中の水分から放電によってプラスイオンとマイナスイオンを生成し、空気中に浮遊する細菌、ウィルス等の有害な浮遊物を取り囲み破壊するイオン技術を利用した装置が実用化されている。
【０００４】
このように細菌、ウィルス等の有害な浮遊物を殺菌又は不活化するイオン等の粒子を放電により発生させる装置においては、放電電極等の部品の消耗を抑え、装置の長寿命化を図りたいという要望があり、種々の提案がなされている。
【０００５】
例えば、放電電極対を複数個のブロックに分割し、複数個のブロック夫々に交互に高圧パルス電圧を印加して放電を生ぜしめ、オゾンを発生させるように構成する。そして、この構成により、放電開始時の過渡状態を利用してオゾンの発生効率の向上を図るとともに、無駄な電極の消耗を少なくすることができ、長寿命化を図ることができる高圧オゾン発生器が開示されている（例えば、特許文献１参照）。
【０００６】
陰イオン調節センサを設け、空気の汚染度が高まるほど検出される照度が低下することにより、汚染度の高い時に陰イオンを多く放出して効率的に外部の空気を浄化させることができる陰イオン発生ユニットが内蔵された照明器具が開示されている（例えば、特許文献２参照）。
【先行技術文献】
【特許文献】
【０００７】
【特許文献１】特開２００１−１９４０９号公報
【特許文献２】特開２００３−１５１３４４号公報
【発明の概要】
【発明が解決しようとする課題】
【０００８】
しかしながら、特許文献１に開示された高圧オゾン発生器にあっては、複数個のブロックの放電電極対に交互に電圧を印加して放電を生ぜしめ、オゾンを発生させるように構成してあるため、放電電極対全てを用いた場合と比較して、装置の起動時に、空間内にオゾンを充満させ、所定の濃度に到達させるまでに時間がかかるという問題があった。
【０００９】
また、特許文献２に開示された照明器具にあっては、単に外部の照度に応じて陰イオンの量を調節する点が開示されているのみであって、どのように陰イオンの量を調節するのか、あるいは、イオン濃度をどの程度高めるかについては開示されていない。
【００１０】
本発明は斯かる事情に鑑みてなされたものであり、周囲の明るさに応じて、イオン発生部の駆動条件を選択することにより、イオン濃度を所定濃度まで速やかに上昇させることができ、また、所定のイオン濃度を維持しつつ長寿命化を図ることができるイオン発生ユニット及び該イオン発生ユニットを備える照明装置を提供することを目的とする。
【課題を解決するための手段】
【００１１】
本発明に係るイオン発生ユニットは、イオンを発生するイオン発生部と、該イオン発生部の駆動を制御する制御部とを備えるイオン発生ユニットにおいて、前記イオン発生部の駆動制御のための駆動条件を記憶する記憶部と、周囲の明るさを検出する検出部とを備え、前記制御部は、駆動を開始する場合、前記検出部で検出した明るさに応じて、前記イオン発生部の駆動条件を選択するように構成してあることを特徴とする。
【００１２】
本発明に係るイオン発生ユニットは、前記検出部は、自身が検出した明るさに基づいて明るさの変化を検出するようにしてあり、前記制御部は、駆動中に前記検出部で検出した明るさの変化に応じて、前記駆動条件を変更するように構成してあることを特徴とする。
【００１３】
本発明に係るイオン発生ユニットは、前記イオン発生部を複数備え、前記制御部は、前記検出部で検出した明るさ又は明るさの変化に応じて、前記複数のイオン発生部を間欠駆動するとともに、前記複数のイオン発生部の駆動を交番させるように構成してあることを特徴とする。
【００１４】
本発明に係るイオン発生ユニットは、前記イオン発生部を複数備え、前記制御部は、前記検出部で検出した明るさ又は明るさの変化に応じて、前記複数のイオン発生部を所定時間連続駆動し、その後間欠駆動するとともに、前記複数のイオン発生部の駆動を交番させるように構成してあることを特徴とする。
【００１５】
本発明に係るイオン発生ユニットは、前記制御部は、前記検出部で検出した明るさ又は明るさの変化に応じて、前記複数のイオン発生部の間欠駆動のデューティ比を変更するように構成してあることを特徴とする。
【００１６】
本発明に係るイオン発生ユニットは、前記イオン発生部で発生したイオンを放出するためのファンと、該ファンの回転数を検出する回転数検出部とを備え、前記制御部は、前記検出部で検出した明るさ又は明るさの変化及び前記回転数検出部で検出した回転数に応じて、前記複数のイオン発生部の間欠駆動の周期を変更するように構成してあることを特徴とする。
【００１７】
本発明に係る照明装置は、光源と、前述のいずれか１つの発明に係るイオン発生ユニットとを備えることを特徴とする。
【００１８】
本発明にあっては、イオン発生部の駆動制御のための駆動条件を記憶する記憶部と、周囲の明るさを検出する検出部とを備える。駆動条件には、例えば、イオン発生部を常にオンさせる連続駆動、イオン発生部を所要のデューティ比（例えば、オン時間とオフ時間との合計時間に対するオン時間の割合）又は周期（例えば、デューティ比を保ったまま、オン時間及びオフ時間の各時間、オン時間とオフ時間の合計時間など）でオン／オフさせる間欠駆動などがある。また、検出部は、例えば、照度センサなどである。検出部で検出する明るさは、例えば、所定範囲よりも明るい状態、所定範囲内の明るさ、所定範囲よりも暗い状態などのように区分することができる。制御部は、駆動を開始する場合、検出部で検出した明るさに応じて、イオン発生部の駆動条件を選択する。例えば、検出部で検出した明るさが、所定範囲よりも明るい場合には、昼間であって室内や空間内に人が居るものと想定できるので、イオン発生部を連続駆動させる。これにより、イオン濃度を所定濃度まで速やかに上昇させる。また、検出部で検出した明るさが、所定範囲内にある場合には、室内の照明を点灯している状態であって、室内や空間に人が居るものと想定できるので、イオン発生部を、例えば、デューティ比が５０％で間欠駆動させる。これにより、室内や空間内のイオン濃度を所定濃度に維持する。また、検出部で検出した明るさが、所定範囲よりも暗い場合には、夜間や室内の照明を消灯している状態であって、室内や空間に人が居ないものと想定できるので、イオン発生部を、さらに小さいデューティ比、例えば、デューティ比３３％で間欠駆動させる。これにより、室内や空間内のイオン濃度を最低限必要な濃度を確保しつつ、イオン発生部の長寿命化を図る。
【００１９】
本発明にあっては、検出部は、自身が検出した明るさに基づいて明るさの変化を検出する。明るさの変化は、例えば、暗い状態から明るい状態への明るく変化する場合、明るさの変化がない場合、明るい状態から暗い状態への暗く変化する場合などに分けることができる。制御部は、駆動中に検出部で検出した明るさの変化に応じて、駆動条件を変更する。例えば、検出部で明るく変化したと検出した場合には、照明を点灯させた等で室内や空間内に人が居るものと想定できるので、イオン発生部を連続駆動させる。これにより、イオン濃度を所定濃度まで速やかに上昇させる。また、検出部で明るさの変化なしと検出した場合には、室内の照明を点灯したままの状態であって、室内や空間に人が居るものと想定できるので、イオン発生部を、例えば、デューティ比が５０％で間欠駆動させる。これにより、室内や空間内のイオン濃度を所定濃度に維持する。また、検出部で暗く変化したと検出した場合には、夜間や室内の照明が消灯され、室内や空間に人が居ないものと想定できるので、イオン発生部を、さらに小さいデューティ比、例えば、デューティ比３３％で間欠駆動させる。これにより、室内や空間内のイオン濃度を最低限必要な濃度を確保しつつ、イオン発生部の長寿命化を図る。
【００２０】
本発明にあっては、イオン発生部を複数備え、制御部は、検出部で検出した明るさ又は明るさの変化に応じて（例えば、検出部で検出した明るさが、所定範囲内である場合や所定範囲よりも暗い場合、あるいは、明るさの変化が、変化なしの場合や暗く変化した場合など）、複数のイオン発生部を間欠駆動するとともに、複数のイオン発生部の駆動を交番させる。これにより、イオン濃度を所定濃度や最低限必要な濃度に維持しつつ、イオン発生部の実駆動時間を短くして、イオン発生部を構成する放電電極等の消耗を抑制して長寿命化を図る。
【００２１】
本発明にあっては、イオン発生部を複数備え、制御部は、検出部で検出した明るさ又は明るさの変化に応じて（例えば、検出部で検出した明るさが、所定範囲よりも明るい場合、あるいは、明るさの変化が、明るく変化した場合など）、複数のイオン発生部を所定時間連続駆動し、その後間欠駆動するとともに、複数のイオン発生部の駆動を交番させる。これにより、イオン濃度を所定濃度まで速やかに上昇させるとともに、イオン濃度を所定濃度に維持しつつ、イオン発生部の実駆動時間を短くして、イオン発生部を構成する放電電極等の消耗を抑制して長寿命化を図る。
【００２２】
本発明にあっては、制御部は、検出部で検出した明るさ又は明るさの変化に応じて、複数のイオン発生部の間欠駆動のデューティ比を変更する。イオン発生部を間欠駆動で制御する場合、制御部は、検出した明るさ又は明るさの変化に応じて、デューティ比を変更する。例えば、起動時に検出部で検出した明るさが、所定範囲内にある場合には、室内の照明を点灯している状態であって、室内や空間に人が居るものと想定できるので、イオン発生部をデューティ比が５０％で間欠駆動させる。また、イオン発生部の起動時に検出部で検出した明るさが、所定範囲よりも暗い場合には、夜間や室内の照明を消灯している状態であって、室内や空間に人が居ないものと想定できるので、イオン発生部を、さらに小さいデューティ比、例えば、デューティ比３３％で間欠駆動させる。なお、デューティ比の数値は一例であって、これに限定されるものではない。また、イオン発生部の起動中に検出部で明るさの変化なしと検出した場合には、室内の照明を点灯したままの状態であって、室内や空間に人が居るものと想定できるので、イオン発生部をデューティ比が５０％で間欠駆動させる。また、起動中に検出部で暗く変化したと検出した場合には、夜間や室内の照明が消灯され、室内や空間に人が居ないものと想定できるので、イオン発生部を、さらに小さいデューティ比、例えば、デューティ比３３％で間欠駆動させる。これにより、室内や空間内での人の活動状況を周囲の明るさで検出して、検出結果に応じて、内や空間内のイオン濃度を所定濃度に維持するとともに、室内や空間内のイオン濃度を最低限必要な濃度を確保しつつ、イオン発生部の長寿命化を図る。
【００２３】
本発明にあっては、イオン発生部で発生したイオンを放出するためのファンと、ファンの回転数を検出する回転数検出部とを備える。ファンの回転数は、例えば、高速、中速、低速の３つの回転動作条件があり、中速を所定値（標準値）とすることができる。制御部は、検出部で検出した明るさ又は明るさの変化及びファンの回転数に応じて、複数のイオン発生部の間欠駆動の周期を変更する。複数のイオン発生部の間欠駆動のデューティ比を保ったままで、それぞれのイオン発生部のオン時間及びオフ時間の各時間を変化させ、断続的に駆動するとともに、それぞれのイオン発生部の駆動が交番させる。例えば、検出部で検出した明るさが、所定範囲よりも明るい場合、あるいは、明るく変化した場合であって、ファンの回転数が所定値よりも大きい高速である場合には、間欠駆動のデューティ比を保ったまま、間欠駆動の周期を長くする（オン時間及びオフ時間の各時間を長くする）。これにより、風量の増加によるイオン発生量の増加に対して、イオン発生量を減少させて室内や空間内のイオンの量を所定濃度近傍に維持する。また、検出部で検出した明るさが、所定範囲よりも暗い場合、あるいは、暗く変化した場合であって、ファンの回転数が所定値よりも小さい低速である場合には、間欠駆動のデューティ比を保ったまま、間欠駆動の周期を短くする（オン時間及びオフ時間の各時間を短くする）。これにより、風量の低下によりイオンの量の減少を補うべく、イオン発生量を増加させて室内や空間内のイオンの量を所定濃度近傍に維持する。このように、イオン濃度を所定濃度に維持しつつ、イオン発生部の実駆動時間を短くすることにより、イオン発生部を構成する放電電極等の部品の消耗を抑制し、長寿命化を図る。
【００２４】
本発明にあっては、照明装置は、光源とイオン発生ユニットとを備える。イオン発生ユニットの制御部は、光源の明るさ又は明るさの変化に応じて、イオン発生部の駆動を制御する。
【発明の効果】
【００２５】
本発明によれば、イオン濃度を所定濃度まで速やかに上昇させることができ、また、所定のイオン濃度を維持しつつ長寿命化を図ることができる。
【図面の簡単な説明】
【００２６】
【図１】本発明に係るイオン発生ユニットの外観斜視図である。
【図２】本発明に係るイオン発生ユニットの前面視の分解斜視図である。
【図３】本体ベースの分解斜視図である。
【図４】本発明に係るイオン発生ユニットの後面視の分解斜視図である。
【図５】ケースの平面図である。
【図６】本体ベースの平面図である。
【図７】吸込グリルの平面図である。
【図８】空気の通気路の概略を示す模式図である。
【図９】空気の通気路の概略を示す模式図である。
【図１０】前面パネルの正面図である。
【図１１】空気吹出口の要部断面図である。
【図１２】本発明に係るイオン発生ユニットの空気吹き出し方向の一例を示す説明図である。
【図１３】制御部の構成を示すブロック図である。
【図１４】イオン発生素子の間欠駆動の例を示す説明図である。
【図１５】イオン発生素子の間欠駆動の例を示す説明図である。
【図１６】イオン濃度とファンの回転数との関係を示す説明図である。
【図１７】イオン発生素子の駆動条件の一例を示す説明図である。
【図１８】イオン発生素子の駆動条件の他の例を示す説明図である。
【図１９】制御部の処理手順を示すフローチャートである。
【図２０】制御部の処理手順を示すフローチャートである。
【図２１】本発明に係るイオン発生ユニットの空気吹き出し方向の他の例を示す説明図である。
【発明を実施するための形態】
【００２７】
以下、本発明をその実施の形態を示す図面に基づいて説明する。図１は本発明に係るイオン発生ユニット１００の外観斜視図であり、図２は本発明に係るイオン発生ユニット１００の前面視の分解斜視図であり、図３は本体ベース３０の分解斜視図であり、図４は本発明に係るイオン発生ユニット１００の後面視の分解斜視図である。また、図５はケース４０の平面図であり、図６は本体ベース３０の平面図であり、図７は吸込グリル２０の平面図である。
【００２８】
図２に示すように、イオン発生ユニット１００は、一面が開口した箱状のケース４０、ケース４０に収容される一面が開口した箱状の本体ベース３０、本体ベース３０の上面（前面）に取り付けられる吸込グリル２０、吸込グリル２０の上面（前面）に取り付けられる空気案内板としての前面パネル１０などを備えている。
【００２９】
イオン発生ユニット１００の前面パネル１０には、中央部に空気吸込口１５を設けてあり、空気吸込口１５と同一面上であって、空気吸込口１５を囲むように、イオンを放出するための放出部としての空気吹出口１１、１２、１３、１４を設けてある。ここで、同一面とは、本実施の形態で例示するように、空気吸込口と空気吹出口とが同一平面にある場合のみならず、同一の屈曲面にある場合（例えば、空気吸込口の開口面の法線方向と空気吹出口の開口面の法線方向とが鋭角をなすようにお互いに傾いて設けられているような場合）、お互いに平行な平面にある場合（例えば、空気吸込口の開口面と空気吹出口の開口面とが段差を有して設けられている場合）などを含むものとする。空気吹出口１１〜１４は、空気吸込口１５を囲んで長方形の略四隅に配置されている。なお、本実施の形態では、イオンを放出する放出部として、空気吹出口を例に挙げて説明するが、放出部はこれに限定されるものではなく、イオンを放出することができる構造であれば、空気とともに吹き出すものに限らず、どのような構成のものでもよい。
【００３０】
図２に示すように、吸込グリル２０の前面（上面）には、空気吸込口１５に対応する位置に略同寸法の吸込孔２５を設けてあり、空気吹出口１１〜１４それぞれに対応する位置に略同寸法の吹出孔２１、２２、２３、２４を設けてある。
【００３１】
また、図３に示すように、本体ベース３０には、イオン発生部としてのイオン発生素子３１、３２、羽根を備えたファン３３、イオン発生ユニット１００を制御する制御部３５、複数のＬＥＤを備える表示部３６、周囲の明るさを検出する検出部としての照度センサ５０などを取り付けるようになっている。また、照度センサ５０は、自身で検出した明るさに基づいて明るさの変化を検出する機能を有する。なお、制御部３５が、照度センサ５０で検出した明るさに基づいて明るさの変化を検出するようにしてもよい。
【００３２】
図３に示すように、本体ベース３０は、中央部にファン３３を取り付けるように構成してある。本体ベース３０の底面であって、ファン３３が取り付けられる箇所は、外側から内側に向かって円形状に絞り込んだ椀状の絞り部３７を形成してある。ファン３３が動作することにより、空気吸込口１５から吸い込まれた空気の流れが本体ベース３０の底面に当たる際に、絞り部３７を形成してあることにより、吸い込まれた空気が本体ベース３０の底面に沿ってスムーズに流れ易くすることができ、空気流の乱れを生じさせることなく空気吹出口１１〜１４へ導くことができる。
【００３３】
本体ベース３０の対向する１組の側壁同士は、前面（上面）に向かって拡がるように傾斜してあり、それぞれの側壁にイオン発生素子３１、３２を取り付けている。イオン発生素子３１、３２は、先端に係止部が形成された固定板３４により側壁に押圧されて取り付けられる。なお、イオン発生素子３１、３２は、固定板３４により着脱可能に取り付けられるようになっている。
【００３４】
イオン発生素子３１は、矩形状の板状体であり、一方の端部近傍にマイナスイオンを発生させる電極部としての電極針３１ａ、３１ｂを適長離隔して設けてあり、他方の端部近傍にプラスイオンを発生させる電極部としての電極針３１ｃ、３１ｄを適長離隔して設けてある。イオン発生素子３１を取り付けた状態で、吹出孔２１及び空気吹出口１１の近傍には、マイナスイオンを発生するイオン発生電極部が配置され、吹出孔２１及び空気吹出口１１からはマイナスイオンを含む空気が吹き出される。また、吹出孔２４及び空気吹出口１４の近傍には、プラスイオンを発生するイオン発生電極部が配置され、吹出孔２４及び空気吹出口１４からはプラスイオンを含む空気が吹き出される。
【００３５】
イオン発生素子３２は、イオン発生素子３１と同様の構成をなす。イオン発生素子３２を取り付けた状態で、吹出孔２２及び空気吹出口１２の近傍には、プラスイオンを発生するイオン発生電極部が配置され、吹出孔２２及び空気吹出口１２からはプラスイオンを含む空気が吹き出される。また、吹出孔２３及び空気吹出口１３の近傍には、マイナスイオンを発生するイオン発生電極部が配置され、吹出孔２３及び空気吹出口１３からはマイナスイオンを含む空気が吹き出される。
【００３６】
イオン発生素子３１、３２は、空気中の水蒸気をプラズマ放電によりイオン化することにより、プラスイオンとしてのＨ+ （Ｈ2 Ｏ）n （ｎは０を含む任意の整数）と、マイナスイオンとしてのＯ2 - （Ｈ2 Ｏ）m （ｍは０を含む任意の整数）とを発生する。そして、これらが化学反応することにより、活性種である過酸化水素（Ｈ2 Ｏ2 ）及び／又は水酸基ラジカル・（ＯＨ）が生成され、空気中の浮遊細菌や浮遊ウィルス等が除去される。
【００３７】
これにより、それぞれの空気吹出口１１〜１４は、独立にプラスイオンを含む空気、あるいはマイナスイオンを含む空気を吹き出すことができ、イオン発生ユニット１００から吹き出した空気中のプラスイオンとマイナスイオンとが直ちに中和することを防止できる。そして、イオンの中和を防止することにより、イオンの拡散性を向上させることができる。
【００３８】
また、表示部３６は、イオン発生ユニット１００の動作状態を表示するための複数のＬＥＤを備えている。例えば、表示部３６は、イオン発生素子３１、３２が動作中（連続駆動中、間欠駆動中）であることを示す青色ＬＥＤ、空気吸込口１５に取り付けられたフィルタの交換時期を通知するための赤色ＬＥＤ、ファン３３の動作条件を示す青色・緑色・赤色の三色ＬＥＤなどを備えている。この場合、照度センサ５０で検出した明るさが所定範囲よりも明るい場合は、ファン３３の回転数が高速（風量、風速が大に相当）で、三色ＬＥＤの青色が点灯する。また、照度センサ５０で検出した明るさが所定範囲内の場合は、回転数が中速（風量、風速が中に相当）で、三色ＬＥＤの緑色が点灯する。また、照度センサ５０で検出した明るさが所定範囲よりも暗い場合は、回転数が低速（風量、風速が小に相当）で、三色ＬＥＤは点灯しない。また、イオン発生素子３１、３２の交換時期を通知する場合には、三色ＬＥＤの青色及び緑色が点滅する。また、前面パネル１０が外れている場合、あるいは、完全に装着されていない場合、表示部３６のすべてのＬＥＤが消灯する。
【００３９】
また、制御部３５は、イオン発生ユニット１００の全体の動作を制御するマイクロコンピュータ、イオン発生素子３１、３２、及びファン３３の動作を制御する制御回路、前面パネル１０の着脱を検出するためのマイクロスイッチ３５１などを備えている。制御部３５の詳細は後述する。図４に示すように、前面パネル１０の裏面側に立設した突起棒１６がマイクロスイッチ３５１を押すことにより、マイクロスイッチ３５１はオンとなり、前面パネル１０が装着されていることを検出する。一方、前面パネル１０が外れた場合、突起棒１６がマイクロスイッチ３５１から離れ、マイクロスイッチ３５１がオフして前面パネル１０が離脱したことを検出する。前面パネル１０が離脱した場合、マイクロスイッチ３５１がオフしてイオン発生ユニット１００の動作は停止又は運転できない状態となる。
【００４０】
図４に示すように、吸込グリル２０の裏面側（後面側）には、吸込孔２５を挟むようにして本体ベース３０の深さ寸法より短い寸法の深さ（高さ）を有する吹出方向設定部材としての通気壁２０１、２０１を対設してある。すなわち、本体ベース３０に吸込グリル２０を取り付けた状態で、本体ベース３０の底面内側と通気壁２０１との間は、ファン３３で吸い込まれた空気が流れるのに必要な十分な隙間を設けてある。
【００４１】
通気壁２０１の吹出孔２１〜２４側の側壁は、深さ（高さ）方向に沿ってテーパー状になった吹出方向設定部材としての傾斜面（内壁）２０１ａを有する。また、通気壁２０１の中央部には、通気壁２０１と略同寸法の深さ（高さ）を有し、吹出孔２２、２３に挟まれるように吹出方向設定部材としての通気板２０２を設けている。通気板２０２の吹出孔２２、２３側の側面は、深さ（高さ）方向に沿ってテーパー状になった吹出方向設定部材としての傾斜面（内壁）２０２ａ、２０２ｂを有する。なお、吹出孔２１、２４側の通気板２０２についても同様の構成である。
【００４２】
本体ベース３０に吸込グリル２０を取り付けた状態で、通気壁２０１、通気板２０２は、本体ベース３０の内壁（底面内側、側面内側等）とともに、空気吸込口１５と空気吹出口１１〜１４とを連通する通気路Ｒを形成する。そして、通気路Ｒには、ファン３３の羽根の回転軸が空気吸込口１５及び空気吹出口１１〜１４の面と直交するようにファン３３を取り付けてある。
【００４３】
また、図４及び図７に示すように、吹出孔２２の裏側には、空気の吹き出し方向を設定するための吹出方向設定部材としての整流板２０４、２０４を傾斜面２０２ａと略平行に適長離隔して設けている。吹出孔２４の裏側にも、同様に空気の吹き出し方向を設定するための整流板２０４、２０４を傾斜面２０２ａと略平行に適長離隔して設けている。
【００４４】
図８及び図９は空気の通気路Ｒの概略を示す模式図である。図８はイオン発生ユニット１００の長手方向から見た状態を示し、図９はイオン発生ユニット１００の短手方向から見た状態を示す。図８に示すように、ファン３３を動作させることにより、空気吸込口１５から空気が吸い込まれる。吸い込まれた空気は、ファン３３を介して通気路Ｒを通り、空気吹出口１３、１４（空気吹出口１１、１２は図８では不図示）から吹出される。なお、図８において矢印は空気の流れを示す。空気吹出口１３から吹き出される際に、イオン発生素子３２のマイナスイオン発生電極部で発生したマイナスイオンが空気に含まれ、マイナスイオンを含む空気が吹き出される。また、空気吹出口１４から吹き出される際に、イオン発生素子３１のプラスイオン発生電極部で発生したプラスイオンが空気に含まれ、プラスイオンを含む空気が吹き出される。
【００４５】
また、通気路Ｒの内壁である傾斜面２０１ａにより、空気吹出口１３、１４から吹き出される空気は、傾斜面２０１ａに沿った方向（傾斜面２０１ａと平行な方向）へ拡散する。なお、傾斜面２０１ａと空気吹出口１３、１４の面とのなす角度は、例えば、４５度程度が好ましいが、これに限定されるものではなく、３０度〜６０度程度でもよい。
【００４６】
また、図９に示すように、ファン３３を動作させることにより、空気吸込口１５から空気が吸い込まれる。吸い込まれた空気は、ファン３３を介して通気路Ｒを通り、空気吹出口１２、１３（空気吹出口１１、１４は図９では不図示）から吹出される。なお、図９において矢印は空気の流れを示す。空気吹出口１２から吹き出される際に、イオン発生素子３２のプラスイオン発生電極部で発生したプラスイオンが空気に含まれ、プラスイオンを含む空気が吹き出される。
【００４７】
また、通気路Ｒの内壁である傾斜面２０２ａ、２０２ｂにより、空気吹出口１２、１３から吹き出される空気は、それぞれ傾斜面２０２ａ、２０２ｂに沿った方向（傾斜面２０２ａ、２０２ｂと平行な方向）へ拡散する。なお、傾斜面２０２ａ、２０２ｂと空気吹出口１２、１３の面とのなす角度は、例えば、４５度程度が好ましいが、これに限定されるものではなく、３０度〜６０度程度でもよい。なお、図８及び図９では、整流板２０４を省略している。
【００４８】
図１０は前面パネル１０の正面図であり、図１１は空気吹出口１１の要部断面図である。図１０に示すように、前面パネル１０の空気吹出口１１は、開口部１１２に複数の吹出方向設定部材としての仕切板１１１を並置したスリット状をなしている。これにより、空気吹出口１１は、空気案内板としての機能を有する。また、図１１に示すように、仕切板１１１は、空気吹出口１１の吹出方向に沿って傾斜してあり、傾斜した仕切板１１１により、図１１の矢印に示すように、空気の吹出方向を設定することができる。例えば、仕切板１１１を空気吹出口１１が設けられた面に対して直角に設けるのではなく、当該面に対して所要の傾斜角（例えば、４５度等）で傾斜させることでイオンを含む空気の吹出方向を仕切板１１１の傾きに応じて空気吹出口１１から斜めにすることができる。これにより、イオンの拡散性をさらに高めることができる。他の空気吹出口１２〜１４についても同様の構成を有する。
【００４９】
図１２は本発明に係るイオン発生ユニット１００の空気吹き出し方向の一例を示す説明図である。図１２において、矢印は、空気吹出口１１〜１４からの空気の吹き出し方向を示す。空気吹出口１１については、通気壁２０１の内壁としての傾斜面２０１ａ、通気板２０２の傾斜面２０２ｂ、及び空気吹出口１１に設けられた仕切板の傾きにより、イオン発生ユニット１００の長手方向外側（図１２で左方向）に向かってマイナスイオンを含む空気が拡散される。
【００５０】
また、空気吹出口１２については、通気壁２０１の内壁としての傾斜面２０１ａ、通気板２０２の傾斜面２０２ａ、整流板２０４、２０４及び空気吹出口１２に設けられた仕切板の傾きにより、イオン発生ユニット１００の短手方向外側（図１２で上方向）に向かってプラスイオンを含む空気が拡散される。
【００５１】
また、空気吹出口１３については、通気壁２０１の内壁としての傾斜面２０１ａ、通気板２０２の傾斜面２０２ｂ、及び空気吹出口１３に設けられた仕切板の傾きにより、イオン発生ユニット１００の長手方向外側（図１２で右方向）に向かってマイナスイオンを含む空気が拡散される。
【００５２】
また、空気吹出口１４については、通気壁２０１の内壁としての傾斜面２０１ａ、通気板２０２の傾斜面２０２ａ、整流板２０４、２０４及び空気吹出口１４に設けられた仕切板の傾きにより、イオン発生ユニット１００の短手方向外側（図１２で下方向）に向かってプラスイオンを含む空気が拡散される。
【００５３】
このように、イオン発生ユニット１００は、空気吹出口１１〜１４を空気吸込口１５と同一平面であって空気吸込口１５の回りに複数設けてある。これにより、中央部に配置された空気吸込口１５から吸い込まれた空気は、イオン発生ユニット１００の内部でイオンを含む空気となって、空気吸込口１５の回りに設けられた複数の空気吹出口１１〜１４より吹き出されるので、イオンの拡散性を向上させることができる。特に、イオン発生ユニット１００を室内の天井や壁に取り付けた場合であっても、複数の空気吹出口１１〜１４を設けてあるので、イオンを室内に効率的に拡散することができる。
【００５４】
また、マイナスイオンを含む空気の吹出口１１（又は１３）とプラスイオンを含む空気の吹出口１４（又は１２）とを独立させる（別個に離隔させる）ことにより、プラスイオンとマイナスイオンとが中和することを避けて、イオンの拡散性を高めることができる。
【００５５】
また、各空気吹出口１１〜１４の近傍にイオン発生電極部を備えている。例えば、マイナスイオンを含む空気を吹き出す空気吹出口１１、１３の近傍には、マイナスイオンを発生させるための電極部（例えば、電極針）を設けるとともに、プラスイオンを含む空気を吹き出す空気吹出口１２、１４の近傍には、プラスイオンを発生させるための電極部（例えば、電極針）を設ける。これにより、例えば、空気吹出口１１〜１４に至るまでの通気路Ｒ内でイオンが消滅することを防止し、発生させたプラスイオン及びマイナスイオンを空気吹出口１１〜１４から吹き出すことができ、イオンを一層効率的に拡散させることができる。
【００５６】
また、図１２に示すように、プラスイオンを含む空気を吹き出す空気吹出口とマイナスイオンを含む空気を吹き出す空気吹出口それぞれを交互に周状に配置してある。例えば、空気吹出口を長方形の各四隅の位置に配置した場合、プラスイオン用の空気吹出口とマイナスイオン用の空気吹出口とが順番に並ぶように配置する。この場合、対角線上の空気吹出口のイオンの極性は同じ極性となる。これにより、プラスイオンとマイナスイオンとを均等に拡散させることができるとともに、空間へのイオン分布が良くなりイオンの中和を避けることができる。
【００５７】
また、空気吹出口１１〜１４を空気吸込口１５と同一平面に設けてあるので、例えば、イオン発生ユニット１００を天井や壁に設置する場合に、空気吹出口１１〜１４及び空気吸込口１５を天井面や壁面と同一面にすることができ、イオン発生ユニットが天井面や壁面から飛び出した状態で設置しなければならないという制約を排除することができ、見た目も良くなる。
【００５８】
また、図１２に示すように、各空気吹出口１１〜１４から吹き出された空気の前記同一平面に沿った吹出方向をそれぞれ均等に異なる方向へ設定することができる。図１２の例では、一例として、空気吹出口１１〜１４を長方形の各四隅の位置に配置し、各空気吹出口１１〜１４から吹き出す空気の方向を隣接する空気吹出口からの吹出方向と略直角をなすようにする。これにより、イオン発生ユニット１００の空気吹出口１１〜１４の取り付け面から四方に均等にイオンを拡散することができる。
【００５９】
また、イオン発生ユニット１００は、空気吹出口１１〜１４及び空気吸込口１５の面と直交する軸回りに回転する羽根を有するファン３３を通気路に内設している。ファン３３を作動させることにより、空気吸込口１５から吸い込まれた空気は通気路Ｒを通って空気吹出口１１〜１４から吹き出される。そして、羽根の回転方向（図１２の矢印方向）と一致する向きに各空気吹出口１１〜１４からの吹出方向を設定してある。例えば、図１２に示すように、ファン３３の回転方向が反時計回りである場合、各空気吹出口１１〜１４からの吹出方向が反時計回りになるように吹出方向を設定する。これにより、ファン３３の回転により生じる渦状の空気の流れに逆らうことなく、イオンを含む空気を吹き出すことができ、イオンの拡散性を向上させることができる。
【００６０】
図１３は制御部３５の構成を示すブロック図である。制御部３５は、イオン発生ユニット１００全体を制御するためのマイクロコンピュータ３５０、マイクロスイッチ３５１、電源回路３８から所要の電圧を生成するための制御用供給回路（５Ｖ）３５２及びＰＣＩ（イオン発生素子）用供給回路（１２Ｖ）３５３、イオン発生素子３１、３２の駆動条件などの所定の情報を記憶するメモリ３５４、リモコン受光部３５５、イオン発生素子３１の駆動を制御するＰＣＩ制御回路３５６、イオン発生素子３２の駆動を制御するＰＣＩ制御回路３５７、ファン３３の動作を制御するとともにファン３３の回転数を検出する回転数検出部としてのファン制御回路３５８、表示部３６を制御する表示部制御回路３５９、周囲の明るさを検出する検出部としての照度センサ５０などを備えている。また、照度センサ５０は、自身が検出した明るさに基づいて明るさの変化を検出する機能を有する。なお、制御部３５が、照度センサ５０で検出した明るさに基づいて明るさの変化を検出する構成でもよい。
【００６１】
制御用供給回路（５Ｖ）３５２は、直流５Ｖを生成し、マイクロコンピュータ３５０、メモリ３５４等に直流５Ｖを供給する。また、ＰＣＩ用供給回路（１２Ｖ）３５３は、直流１２Ｖを生成し、ＰＣＩ制御回路３５６、３５７、ファン制御回路３５８などに直流１２Ｖを供給する。
【００６２】
リモコン受光部３５５は、リモコン（不図示）からの赤外光を受光し、受光した光から信号を抽出する。リモコン受光部３５５では、例えば、イオン発生ユニット１００の運転開始、運転停止、動作条件の設定などの信号を受け付ける。動作条件には、例えば、ファン３３の回転数が高速（風量、風速が大）、中速（風量、風速が中）、低速（風量、風速が小）の３つの動作状態がある。なお、イオン発生ユニット１００を他の装置、例えば、照明装置などに組み込む場合には、他の装置を制御するための信号を受け付けるリモコン受光部と共用することもできる。
【００６３】
ＰＣＩ制御回路３５６、３５７それぞれは、マイクロコンピュータ３５０からの指令を受けて、イオン発生素子３１、３２の駆動、停止などの駆動条件を制御する。例えば、イオン発生素子３１、３２を連続駆動（連続にイオンを発生させる）し、あるいは、イオン発生素子３１、３２を間欠駆動（所定の間隔でオン／オフを繰り返すことで、間欠的にイオンを発生させる）する。間欠駆動は、例えば、イオン発生素子３１、３２を所要の可変デューティ比（例えば、オン時間とオフ時間との合計時間に対するオン時間の割合）又は可変周期（例えば、デューティ比を保ったまま、オン時間及びオフ時間の各時間、オン時間とオフ時間の合計時間など）でオン／オフさせる駆動条件である。なお、イオン発生素子３１、３２を間欠駆動する場合には、一方のイオン発生素子が駆動し、他方のイオン発生素子が停止するように交互に駆動（交番）する。
【００６４】
ファン制御回路３５８は、ＰＷＭ（パルス幅変調）回路を備え、マイクロコンピュータ３５０からの指令を受けて、ファン３３の回転数を調整するとともに、ファン３３の回転数を検出してマイクロコンピュータ３５０へ出力する。ファン制御回路３５８は、ファン３３の回転数が高速（例えば、３０００回／分で風量又は風速が大の状態）、中速（例えば、２７００回／分で風量又は風速が中の状態）、低速（例えば、２４００回／分で風量又は風速が小の状態）の３つの動作条件でファン３３を動作させる。なお、動作条件は、あくまで一例であって、回転数を３段階に分ける構成のみならず、さらに多くの他段階に分けてよく、あるいは、ファン３３の回転数を連続的に可変するように構成することもできる。
【００６５】
図１４及び図１５はイオン発生素子の間欠駆動の例を示す説明図である。間欠駆動は、イオン発生素子３１、３２に供給する電源のデューティ比を変えることで行う。搭載するイオン発生素子の数の逆数(例えば、イオン発生素子が２個の時には０．５、３個の時は０．３３)とデューティ比が同じであれば、イオン発生ユニット全体では常に１個のイオン発生素子が動作しているのと同じことになり、これよりもデューティ比が大きい時には常に１個以上の素子が動作しているのと同じことになる。また逆に、これよりもデューティ比が小さい時には、全てのイオン発生素子が停止している時間が存在することになる。
【００６６】
図１４（ａ）は１個のイオン発生素子（Ａ）を備える場合を示し、図１４（ｂ）、（ｃ）は２個のイオン発生素子（Ａ）、（Ｂ）を備える場合を示し、図１５（ｄ）は３個のイオン発生素子（Ａ）、（Ｂ）、（Ｃ）を備える場合を示す。図１４（ａ）に示すように、１個のイオン発生素子（Ａ）を備える場合、間欠駆動は、イオン発生素子のオン／オフをデューティ比が５０％の所定の間隔（例えば、オン時間及びオフ時間がそれぞれ０．５秒、１．０秒、１．５秒など）で繰り返す。
【００６７】
また、図１４（ｂ）に示すように、２個のイオン発生素子（Ａ）、（Ｂ）を備える場合、間欠駆動は、各イオン発生素子のオン／オフをデューティ比が５０％の所定の間隔（例えば、オン時間及びオフ時間がそれぞれ０．５秒、１．０秒、１．５秒など）で繰り返す。そして、一方のイオン発生素子がオンである時、他方のイオン発生素子をオフにする。
【００６８】
また、図１４（ｃ）に示すように、デューティ比が３３％の所定の間隔（例えば、オン時間が０．３３秒、オフ時間が０．６７秒）で間欠駆動を行うこともできる。なお、デューティ比は、３３％に限定されるものではなく、例えば、４０％の所定の間隔（例えば、オン時間が０．４秒、オフ時間が０．６秒）で間欠駆動を行うこともできる。そして、一方のイオン発生素子がオンである時、他方のイオン発生素子をオフにする。この場合は、両方のイオン発生素子がオフとなる時間が存在する。
【００６９】
また、図１５（ｄ）に示すように、３個のイオン発生素子（Ａ）、（Ｂ）、（Ｃ）を備える場合、間欠駆動は、各イオン発生素子のオンを所定の間隔（例えば、０．５秒、１．０秒、１．５秒など）で、デューティ比が３３％（例えば、オン時間が０．３３秒、オフ時間が０．６７秒）で繰り返す。そして、一つのイオン発生素子がオンである時、他の２つのイオン発生素子をオフにする。間欠駆動は、デューティ比２０％（例えば、オン時間０．２秒、オフ時間０．８秒）、４０％（例えば、オン時間０．４秒、オフ時間０．６秒）などで繰り返すことも可能である。デューティ比２０％の場合は、全てのイオン発生素子が停止する時間が存在する。
【００７０】
なお、本実施の形態のイオン発生ユニット１００は、２個のイオン発生素子３１、３２を備える構成を示すが、イオン発生素子の個数は２個に限定されるものではない。
【００７１】
図１６はイオン濃度とファン３３の回転数との関係を示す説明図である。図１６において、横軸はファン速、すなわち、ファン３３の回転数、風速、風量に相当する数値を示し、縦軸はイオン濃度（イオンの量）を比率で示す。また、図１６は１個のイオン発生素子から放出されるイオン濃度を示す。また、図中、上側の線分は、イオン発生素子を連続駆動した場合を示し、下側の線分は、イオン発生素子を間欠駆動した場合を示すとともに、オン／オフの間隔がそれぞれ０．５秒、１．０秒、１．５秒の時のイオン濃度の変動幅を示す。なお、イオン濃度は、プラスイオンの濃度とマイナスイオンの濃度との平均値である。また、イオン濃度測定時の環境は、温度が２５〜２７℃、湿度は３５〜４０％である。
【００７２】
イオン発生素子を連続駆動した場合に、ファン３３の回転数が中速でのイオン濃度を１００％（例えば、プラスイオンは１２３１０００個／ｃｍ3 、マイナスイオンは１３０２０００個／ｃｍ3 ）すると、回転数が高速では、イオン濃度は１０６．６％であり、回転数が低速では、イオン濃度は９４．４％である。
【００７３】
また、イオン発生素子を１．０秒間隔で間欠駆動した場合に、ファン３３の回転数が中速ではイオン濃度は７１．８％であり、回転数が高速では、イオン濃度は７６．１％であり、回転数が低速では、イオン濃度は６６．９％である。
【００７４】
また、イオン発生素子を０．５秒間隔で間欠駆動した場合に、ファン３３の回転数が中速ではイオン濃度は８４．０％であり、回転数が高速では、イオン濃度は８８．６％であり、回転数が低速では、イオン濃度は７７．２％である。
【００７５】
また、イオン発生素子を１．５秒間隔で間欠駆動した場合に、ファン３３の回転数が中速ではイオン濃度は５９．４％であり、回転数が高速では、イオン濃度は６５．５％であり、回転数が低速では、イオン濃度は５６．６％である。
【００７６】
イオン発生ユニット１００の動作を決定付けるために、まず基準となる動作条件を予め設定しておく。すなわち、図１６において、点Ｓ１で示す動作条件を基準動作状態として設定する。この動作状態Ｓ１では、ファン３３の回転数は中速であり、イオン発生素子は、１．０秒の都度オン／オフを繰り返す間欠駆動である。この動作状態で放出することができるイオン濃度（７１．８％）を所定のイオン濃度（基準値）である７０％を下回らないように設定する。
【００７７】
そして、ファン３３の騒音低減、あるいは省電力化のためにファン３３の回転数を低速にした場合には、ファン３３の回転数の減少により放出するイオン濃度の低下を補うべく、イオン発生素子を１．０秒間隔の間欠駆動から０．５秒間隔の間欠駆動に変更する。これにより動作状態はＳ１からＳ２へ移り、イオン濃度は７７．２％程度を維持することができ、基準値（７０％）を下回ることなくイオン濃度をほぼ均一にすることができる。
【００７８】
一方、ファン３３の騒音や省電力化よりもイオン濃度を速やかに高めることを優先した場合には、ファン３３の回転数を高速にするとともに、イオン発生素子を間欠駆動から連続駆動に変更する。これにより、動作状態は図中Ｓ３で示す点に移り、イオン濃度は１０６．６％に増やすことができる。
【００７９】
なお、ファン３３の回転数を高速にした場合、イオン濃度をできるだけ均一にするために、イオン発生素子を１．５秒間隔の間欠駆動に変更してもよい。この場合、イオン濃度は６５．５％程度を維持することができ、イオン濃度をほぼ均一にすることができる。なお、この場合にイオン濃度を基準値以上にするためには、１．５秒間隔よりも短い間隔で間欠駆動を行えばよい。
【００８０】
図１６の例では、１個のイオン発生素子が放出するイオン濃度について説明したが、本実施の形態のように、２個のイオン発生素子を用いる構成の場合には、イオン濃度をさらに高めることができる。例えば、２個のイオン発生素子を連続駆動した場合、ファン３３の回転数が中速では、イオン濃度は１２９．６％であり、回転数が高速では、イオン濃度は１４１．１％であり、回転数が低速では、イオン濃度は１２０．９％である。また、２個のイオン発生素子を１．０秒間隔で交互に間欠駆動した場合に、ファン３３の回転数が中速ではイオン濃度は１２２．４％であり、回転数が高速では、イオン濃度は１３５．８％であり、回転数が低速では、イオン濃度は１１１．７％である。
【００８１】
図１７はイオン発生素子の駆動条件の一例を示す説明図である。図１７に示すように、イオン発生素子３１、３２の駆動条件（駆動モード）には、例えば、イオン発生素子３１、３２を常にオンさせる連続駆動、イオン発生素子３１、３２を所要の可変デューティ比（例えば、オン時間とオフ時間との合計時間に対するオン時間の割合）又は可変周期（例えば、デューティ比を保ったまま、オン時間及びオフ時間の各時間、オン時間とオフ時間の合計時間など）でオン／オフさせる間欠駆動などがある。
【００８２】
まず、イオン発生素子３１、３２の駆動を開始する場合について説明する。図１７に示すように、制御部３５は、イオン発生素子３１、３２の駆動を開始する場合、照度センサ５０で検出した明るさに応じて、イオン発生素子３１、３２の駆動条件を選択する。例えば、照度センサ５０で検出した明るさが、所定範囲よりも明るい場合には、昼間であって室内や空間内に人が居るものと想定できるので、制御部３５は、イオン発生素子３１、３２を連続駆動させる。これにより、イオン濃度を所定濃度まで速やかに上昇させる。
【００８３】
また、照度センサ５０で検出した明るさが、所定範囲内にある場合には、室内の照明を点灯している状態であって、室内や空間に人が居るものと想定できるので、制御部３５は、イオン発生素子３１、３２を、例えば、デューティ比が５０％の所定の間隔（例えば、オン時間及びオフ時間がそれぞれ０．５秒、１．０秒、１．５秒など）で間欠駆動させる。これにより、室内や空間内のイオン濃度を所定濃度に維持する。
【００８４】
また、照度センサ５０で検出した明るさが、所定範囲よりも暗い場合には、夜間や室内の照明を消灯している状態であって、室内や空間に人が居ないものと想定できるので、制御部３５は、イオン発生素子３１、３２を、さらに小さいデューティ比、例えば、デューティ比３３％（例えば、オン時間が０．３３秒、オフ時間が０．６７秒）で間欠駆動させる。これにより、室内や空間内のイオン濃度を最低限必要な濃度を確保しつつ、イオン発生部の長寿命化を図る。
【００８５】
次に、イオン発生素子３１、３２が駆動中の場合について説明する。図１７に示すように、制御部３５は、イオン発生素子３１、３２が駆動中である場合、照度センサ５０で検出した明るさの変化に応じて（検出結果）、イオン発生素子３１、３２の駆動条件を変更する。なお、明るさの変化は、例えば、暗い状態から明るい状態への明るく変化する場合、明るさの変化がない場合、明るい状態から暗い状態への暗く変化する場合などに分けることができる。
【００８６】
制御部３５は、明るく変化したと検出された場合には、照明を点灯させた等で室内や空間内に人が居るものと想定できるので、イオン発生素子３１、３２を連続駆動させる（当初連続駆動の場合は連続駆動を維持し、間欠駆動の場合には連続駆動に変更する）。これにより、イオン濃度を所定濃度まで速やかに上昇させる。
【００８７】
また、制御部３５は、明るさの変化なしと検出された場合には、室内の照明を点灯したままの状態であって、室内や空間に人が居るものと想定できるので、イオン発生素子３１、３２を、例えば、デューティ比が５０％の所定の間隔（例えば、オン時間及びオフ時間がそれぞれ０．５秒、１．０秒、１．５秒など）で間欠駆動するように駆動条件を変更する。これにより、室内や空間内のイオン濃度を所定濃度に維持する。
【００８８】
また、制御部３５は、暗く変化したと検出された場合には、夜間や室内の照明が消灯され、室内や空間に人が居ないものと想定できるので、イオン発生素子３１、３２を、さらに小さいデューティ比、例えば、デューティ比３３％（例えば、オン時間が０．３３秒、オフ時間が０．６７秒）で間欠駆動すべく駆動条件を変更する。これにより、室内や空間内のイオン濃度を最低限必要な濃度を確保しつつ、イオン発生部の長寿命化を図る。
【００８９】
図１８はイオン発生素子の駆動条件の他の例を示す説明図である。図１８の例では、照度センサ５０で検出した明るさ又は明るさの変化（検出結果）、及びファン３３の回転数に応じてイオン発生素子３１、３２の駆動条件（駆動モード）を選択又は変更する。
【００９０】
上述したように、ファン３３の回転数には、例えば、高速、中速、低速の３つの回転動作条件があり、中速を所定値（標準値）とすることができる。制御部３５は、照度センサ５０で検出した明るさ又は明るさの変化及びファン３３の回転数に応じて、イオン発生素子３１、３２の間欠駆動の周期を変更する。すなわち、イオン発生素子３１、３２の間欠駆動のデューティ比を保ったままで、それぞれのイオン発生素子３１、３２のオン時間及びオフ時間の各時間をさせ、断続的に駆動するとともに、それぞれのイオン発生素子３１、３２の駆動が交番させる。
【００９１】
図１８に示すように、照度センサ５０で検出した明るさが所定範囲よりも明るい場合、あるいは、明るく変化した場合であって、ファン３３の回転数が所定値よりも大きい高速である場合には、連続駆動しているときには、連続駆動に代えて間欠駆動に変更し、間欠駆動のデューティ比を保ったまま、間欠駆動の周期を所定周期（例えば、１．０秒のオン時間及びオフ時間）よりも長く（例えば、１．５秒のオン時間及びオフ時間）する。これにより、風量の増加によるイオン発生量の増加に対して、イオン発生量を減少させて室内や空間内のイオンの量を所定濃度近傍に維持する。
【００９２】
また、照度センサ５０で検出した明るさが、所定範囲よりも暗い場合、あるいは、暗く変化した場合であって、ファン３３の回転数が所定値よりも小さい低速である場合には、間欠駆動のデューティ比を保ったまま、間欠駆動の周期を所定周期（例えば、１．０秒のオン時間及びオフ時間）よりも短く（例えば、０．５秒のオン時間及びオフ時間）する。これにより、風量の低下によりイオンの量の減少を補うべく、イオン発生量を増加させて室内や空間内のイオンの量を所定濃度近傍に維持する。このように、イオン濃度を所定濃度に維持しつつ、イオン発生部の実駆動時間を短くすることにより、イオン発生素子３１、３２を構成する放電電極等の部品の消耗を抑制し、長寿命化を図る。
【００９３】
なお、照度センサ５０で検出した明るさが、所定範囲内である場合、あるいは、明るさの変化なしの場合であって、ファン３３の回転数が所定値である場合には、間欠駆動のデューティ比を保ったまま、間欠駆動の周期を所定周期（例えば、１．０秒のオン時間及びオフ時間）とすることができる。これにより、イオン量の最適化を図ることができる。また、この場合、イオン発生素子３１、３２を間欠駆動するので、連続駆動する場合に比べて長寿命化を図ることができる。
【００９４】
また、図１６に示すように、ファン３３の回転数を下げた場合でもイオン発生素子３１、３２のオン／オフ時間を変更することにより、イオン濃度の低下を最小限に留めイオン濃度を均一化するとともに、イオン発生素子３１、３２の通電時間を削減することでイオン発生素子３１、３２の長寿命化を図ることができる。また、ファン３３により発生する騒音低減と省電力化を実現することができる。
【００９５】
次に、本発明に係るイオン発生ユニット１００の動作について説明する。図１９及び図２０は制御部３５の処理手順を示すフローチャートである。制御部３５は、電源オンされたか否かを判定し（Ｓ１１）、電源オンされていない場合（Ｓ１１でＮＯ）、ステップＳ１１の処理を続ける。電源オンされた場合（Ｓ１１でＹＥＳ）、制御部３５は、前面パネル１０が閉じているか否かを判定し（Ｓ１２）、閉じていない場合（Ｓ１２でＮＯ）、すなわち、前面パネルが外れている場合、あるいは、完全に装着されていない場合、前面パネルが「開」の情報（例えば、ＬＥＤの消灯）を出力し（Ｓ１３）、ステップＳ１２以降の処理を続ける。
【００９６】
前面パネル１０が閉じている場合（Ｓ１２でＹＥＳ）、制御部３５は、周囲の明るさ又は明るさの変化を検出し（Ｓ１４）、タイマオンとし（Ｓ１５）、検出した明るさ又は明るさの変化に応じて、イオン発生素子３１、３２の駆動制御を行う（Ｓ１６）。なお、イオン発生素子３１、３２の駆動制御については後述する。
【００９７】
制御部３５は、電源がオフされたか否かを判定し（Ｓ１７）、電源がオフされていない場合（Ｓ１７でＮＯ）、ステップＳ１５でオンしたタイマにより所定時間経過したか否かを判定する（Ｓ１８）。所定時間経過していない場合（Ｓ１８でＮＯ）、制御部３５は、ステップＳ１６の処理を行い、所定時間経過した場合（Ｓ１８でＹＥＳ）、ステップＳ１４以降の処理を行う。電源がオフされた場合（Ｓ１７でＹＥＳ）、制御部３５は処理を終了する。
【００９８】
次に、図２０に基づいて、イオン発生素子３１、３２の駆動制御について説明する。制御部３５は、照度センサ５０で検出した明るさ又は明るさの変化を判定する（Ｓ１０１）。検出した明るさが所定範囲よりも明るい又は明るく変化したと判定した場合（Ｓ１０１で所定範囲よりも明るい又は明るく変化）、各イオン発生素子３１、３２を連続駆動する（Ｓ１０２）。
【００９９】
検出した明るさが所定範囲内又は変化なしと判定した場合（Ｓ１０１で所定範囲内又は変化なし）、制御部３５は、各イオン発生素子３１、３２を交互にデューティ比５０％で間欠駆動する（Ｓ１０３）。検出した明るさが所定範囲よりも暗い又は暗く変化したと判定した場合（Ｓ１０１で所定範囲よりも暗い又は暗く変化）、制御部３５は、各イオン発生素子３１、３２を交互にデューティ比３３％で間欠駆動する（Ｓ１０４）。
【０１００】
ステップＳ１０２でイオン発生素子３１、３２を連続駆動させた場合には、制御部３５は、タイマをオンし（Ｓ１０５）、所定時間経過したか否かを判定する（Ｓ１０６）。そして、所定時間経過していない場合（Ｓ１０６でＮＯ）、制御部３５は、ステップＳ１０６の処理を続け、所定時間経過した場合（Ｓ１０６でＹＥＳ）、ステップＳ１０３の処理を行う。
【０１０１】
ステップＳ１０３又はステップＳ１０４でイオン発生素子３１、３２を間欠駆動させた場合には、制御部３５は、イオン発生素子３１、３２の駆動積算時間が所定値（例えば、２万時間など）以上であるか否かを判定し（Ｓ１０７）、所定値以上である場合（Ｓ１０７でＹＥＳ）、イオン発生素子の交換を促す情報（例えば、ＬＥＤの点滅など）を出力する（Ｓ１０８）して処理を終了する。また、駆動積算時間が所定値以上でない場合（Ｓ１０７でＮＯ）、制御部３５は、ステップＳ１０８の処理を行わずに処理を終了する。
【０１０２】
なお、空気吹出口１１〜１４からの空気の吹出方向は、図１２の例に限定されるものではなく、他の方向であってもよい。図２１は本発明に係るイオン発生ユニット１００の空気吹き出し方向の他の例を示す説明図である。図２１において、矢印は、空気吹出口１１〜１４からの空気の吹き出し方向を示す。図２１に示すように、空気吹出口１１〜１４からの空気の吹き出し方向は、ファン３３の中心から半径方向に沿って４方向となる。なお、この場合、例えば、空気吹出口１１〜１４の仕切板の平面視の向きを変更することにより、空気の吹き出し方向を図２１の例のように設定することができる。
【０１０３】
以上説明したように、本発明によれば、周囲の明るさや明るさの変化に応じて、周囲に人が居るような環境を想定し、イオン発生素子の起動時にはイオン濃度を所定濃度まで速やかに上昇させることができ、イオン発生素子の起動後（起動中）には、室内や空間内のイオン濃度を所定濃度に維持しつつ、イオン発生素子の長寿命化を図ることができる。
【０１０４】
特に、複数のイオン発生素子を備える場合には、周囲の明るさや明るさの変化に応じて、複数のイオン発生素子を間欠駆動することにより、イオン濃度を所定濃度や最低限必要な濃度に維持しつつ、イオン発生部の実駆動時間を短くして、イオン発生部を構成する放電電極等の消耗を抑制して長寿命化を図ることができる。また、周囲の明るさや明るさの変化に応じて、複数のイオン発生素子を所定時間連続駆動し、その後間欠駆動することにより、イオン濃度を所定濃度まで速やかに上昇させるとともに、イオン濃度を所定濃度に維持しつつ、イオン発生部の実駆動時間を短くして、イオン発生素子を構成する放電電極等の消耗を抑制して長寿命化を図ることができる。
【０１０５】
上述のイオン発生ユニット１００とＬＥＤやその他の光源とを備えた照明装置を構成することもできる。この場合、イオン発生ユニット１００の照度センサ５０で光源の明るさや明るさの変化を検出し、検出結果に応じて、上述したようにイオン発生素子３１、３２の駆動を制御することができる。
【０１０６】
上述の実施の形態では、ファン３３の動作条件として、ファン３３の回転数を３段階に分けた構成を示したが、これに限定されるものではなく、ファンの回転数の高低により４段階以上の他段階に動作条件を分けることもできる。また、ファンの回転数を連続にさせることで、イオン発生素子のオン／オフの時間間隔も連続的に変更することもできる。
【０１０７】
上述の実施の形態において、イオン発生素子のオン／オフの時間間隔（０．５秒、１．０秒、１．５秒等）は、一例であってこれに限定されるものではなく、イオン発生素子の個数、空気吹出口の形状、大きさ、配置等によって適宜変更することができる。
【０１０８】
上述の実施の形態において、イオン発生素子は、矩形状をなすものであったが、イオン発生素子の形状や電極部の構成は、これに限定されるものではなく、空気吹出口の位置、寸法等に応じて適宜変更することができる。
【０１０９】
上述の実施の形態においては、イオン発生素子を２個備える構成であったが、イオン発生素子の個数は２個に限定されるものではなく、１個でもよく、あるいは３個以上でもよい。
【産業上の利用可能性】
【０１１０】
イオン発生ユニット１００を他の装置、例えば、照明装置と一体化することにより、例えば、照明装置を天井又は壁などに取り付けた場合、床面などに別個のイオン発生ユニットを設置する必要がなく、室内の省スペース化を図ることができる。また、照明装置に調光機能などの複雑な機能が備えられ、これらの機能をマイクロコンピュータ等で制御するような場合、照明装置とイオン発生ユニット１００とでマイクロコンピュータを共用することができる。また、照明装置とイオン発生ユニット１００とで電源回路などを共用化することもできる。また、イオン発生ユニット１００に具備したファン３３によりケース４０が放熱フィンの役割を果たして照明装置内で発生する熱を放熱することもでき、発光ダイオード等の長寿命化を図ることも可能となる。さらに、一体化により施工性が向上する。また、イオン発生ユニット単体で天井（天井埋め込みを含む）や壁などに取り付けことができ、あるいは卓上又は床置きでもよい。また、照明装置に限定されず、空気調和機、除湿器、加湿器等の電気機器に取り付けることもできる。
【符号の説明】
【０１１１】
３１、３２  イオン発生素子（イオン発生部）
３１ａ、３１ｂ、３１ｃ、３１ｄ  電極針
３３  ファン
３５  制御部
３５０  マイクロコンピュータ
３５１  マイクロスイッチ
３５４  メモリ
３５５  リモコン受光部
３５６、３５７  ＰＣＩ制御回路  
３５８  ファン制御回路（回転数検出部）
３５９  表示部制御回路
３６  表示部
５０  照度センサ（検出部）
【図１】
2010194054.tif 000003
【図２】
2010194054.tif 000004
【図３】
2010194054.tif 000005
【図４】
2010194054.tif 000006
【図５】
2010194054.tif 000007
【図６】
2010194054.tif 000008
【図７】
2010194054.tif 000009
【図８】
2010194054.tif 000010
【図９】
2010194054.tif 000011
【図１０】
2010194054.tif 000012
【図１１】
2010194054.tif 000013
【図１２】
2010194054.tif 000014
【図１３】
2010194054.tif 000015
【図１４】
2010194054.tif 000016
【図１５】
2010194054.tif 000017
【図１６】
2010194054.tif 000018
【図１７】
2010194054.tif 000019
【図１８】
2010194054.tif 000020
【図１９】
2010194054.tif 000021
【図２０】
2010194054.tif 000022
【図２１】
2010194054.tif 000023